(57)【要約】【課題】  塵埃や油の飛沫の多いエレベーター環境下で光学式センサを用いる際、光学窓若しくはレンズ，ミラー等の汚れを、簡便な手法で防止する。【解決手段】  一方の端部に外部流体と接する開口部を有し、他方の端部に光学窓０２０６を有する鏡筒０２０７と、該鏡筒に対し熱対流を生成せしめる手段を有する。【選択図】図２
2010078328.tif 000002
【特許請求の範囲】
【請求項１】
周囲流体に対し開口部を有する鏡筒と、前記鏡筒開口部を鏡筒内の流体を介して望む位置に光学センサ若しくは光学窓を有してなる光学センサ装置であって、前記鏡筒内の流体を加熱もしくは冷却する手段を有することを特徴とする光学センサ装置。
【請求項２】
周囲流体に対し開口部を有する鏡筒を有してなる光学センサ装置であって、鏡筒内流体に熱対流を生じせしめる手段と、該熱対流により鏡筒内に付着する塵埃の堆積量を鏡筒内位置に依存し不均一にせしめる鏡筒形状を有し、塵埃の堆積量が相対的に少ない箇所から、前記鏡筒開口部を望む位置に光学センサ若しくは光学窓を配置したことを特徴とする光学センサ装置。
【請求項３】
請求項１から２に記載のものにおいて、鏡筒内における熱対流の流路を鏡筒の長さ方向に沿って分離する構造物を鏡筒内に有することを特徴とする光学センサ装置。
【請求項４】
請求項１から３に記載のものにおいて、光学センサ装置が、光学センサ若しくは光学窓より開口部を望む方向及びその逆方向に移動する場合の双方において、鏡筒開口部全域が周囲流体の圧力より相対的に高い領域となるよう周囲流体を誘導するそらせ板を備えたことを特徴とする光学センサ装置。
【請求項５】
請求項１から４に記載のものにおいて、前記鏡筒内の壁面若しくは流体の温度を検出する手段，温度測定値と温度設定値を比較する手段，鏡筒を加熱する手段若しくは冷却する手段の少なくとも一方とそれらを駆動する手段を有することを特徴とする光学センサ装置。
【請求項６】
請求項１から４に記載のものにおいて、前記鏡筒内の流体の流速を検出する手段，流速測定値と流速設定値を比較する手段，鏡筒を加熱する手段若しくは冷却する手段の少なくとも一方とそれらを駆動する手段を有することを特徴とする光学センサ装置。
【請求項７】
請求項１から６に記載のものにおいて、鏡筒開口径に対する、鏡筒の開口端部から光学センサ若しくは光学窓までの長さの比を３以上としたことを特徴とする光学センサ装置。
【請求項８】
請求項１から７に記載の光学センサ装置を備えたことを特徴とする移動体システム。
【請求項９】
請求項１から７に記載の光学センサ装置を備えたことを特徴とするエレベーターシステム。
【発明の詳細な説明】
【技術分野】
【０００１】
本発明は、光学センサ関連装置に係り、特に、エレベーター昇降路など汚れの多い環境下で、光学式センサを用い位置や速度を検出するものに好適である。
【背景技術】
【０００２】
従来エレベーター乗りかごの昇降路内における絶対位置を検出するものとして、調速機やモータシーブに連結されたロータリーエンコーダからのパルスを利用することで行われてきた。また、汚れた環境下で光学センサを利用するには、特許文献１〜３に示すように、外部で用意した清浄空気を圧送する方式が用いられてきた。
【０００３】
【特許文献１】特開平６−２２９８１９号公報
【特許文献２】特開平８−１５５８３号公報
【特許文献３】特開２００５−１８１０９０号公報
【発明の開示】
【発明が解決しようとする課題】
【０００４】
従来のロータリーエンコーダを用いた絶対位置検出では、乗りかごとロータリーエンコーダとはロープを介し間接的に接続されているため、ロープの揺れ，伸び，伝播時間などの影響を受け、必ずしも正確な値を少ない遅れ時間で得られるわけではなかった。更にロープの昇降路内構造物との干渉（引っ掛かり）や切断など、考慮すべき課題が多数残存している。この傾向は、揚程の増加に伴い更に顕著化する。
【０００５】
距離計測の分野ではレーザなど光学的検出手段を用いる方法が一般的に行われている。
乗りかごから、昇降路の上端若しくは下端との距離を計測できれば、乗りかごの絶対位置を、ロープの介在無しで直接計測できる。しかしながら、エレベーターの昇降路内は、潤滑のための油脂類の飛沫や、昇降路外より持ち込まれる塵埃により、汚れを生じやすい環境にある。そこで光学センサの適用には、上記の汚れに対する対策が必要とされる。
【０００６】
特許文献１〜３に示すものでは、外部で用意した清浄空気を圧送するため、清浄な圧縮空気を確保するためには、可動部を有するポンプ類を新たに備える必要があり、補機類の増加と保守性の低下を招いていた。
【０００７】
本発明の目的は、上記従来技術の課題を解決し、光学センサの汚れによる機能劣化を防止することにある。特に、塵埃や油の飛沫の多いエレベーター環境下で光学式センサを用いる際、光学窓若しくはレンズ，ミラー等の汚れを、簡便な手法で防止することにある。
【課題を解決するための手段】
【０００８】
上記目的を達成するため、本発明は、重力加速度方向の端部に開口部を有し、重力加速度と逆方向の端部に光学窓を有し、前記重力加速度方向の開口部以外は気密性を有する筒構造の光学センサ用の鏡筒と、該鏡筒外部より前記光学窓を介し鏡筒下部開口部を臨む位置に光学センサを有してなる光学センサ装置を有した光学センサ装置であって、前記鏡筒内の流体に熱対流を発生させる手段を有するものである。
【０００９】
また、重力加速度方向の端部に開口部をもつ鏡筒を有する光学センサ装置であって、前記鏡筒内の流体が流れを有し、該流れの方向が変化する箇所近辺において、前記鏡筒内の流体により運搬された塵埃の堆積量が相対的に多い箇所と少ない箇所を有し、前記堆積量が少ない箇所に、光学窓を配置したものである。
【発明の効果】
【００１０】
本発明によれば、加熱手段あるいは冷却手段により、鏡筒内の流体（空気）に熱対流を形成したり、対流による流線が、光学窓への汚れを付着せしめない方向としたりすることができ、光学センサの汚れによる機能劣化を防止することができる。
【発明を実施するための最良の形態】
【００１１】
図１は、本発明の一実施例であるエレベーター装置を示す。乗りかご０１０５とつり合い錘０１０７はメインロープ０１０６で相互に接続され、メインロープ０１０６は巻き上げ機０１０８に巻き掛けられている。巻き上げ機０１０８が制御装置０１１１の指令により、メインロープ０１０６を駆動する。これにより、乗りかご０１０５（以降単に“かご”と表記する場合がある）及びつり合い錘０１０７が昇降路内を移動する。かごには、かご側制御装置０２０１が搭載され、かご側制御装置０２０１には、少なくとも、光学センサユニット０２０３が接続されている。かご側制御装置０２０１は、光学センサユニット０２０３よりの計測値、及び必要に応じその他センサ０２０４よりの計測値を用いた判定処理を行い、判定結果を制御装置０１１１へ送信するか、若しくは必要に応じて非常止め装置０１１４を含むかご設置の安全装置を作動させるかの少なくとも一方を行う。尚、０２０３，０２０４などかご設置のセンサからの計測値は、かご側制御装置０２０１経由若しくは直接、制御装置０１１１へ伝送してもよい。
【００１２】
乗りかごの絶対位置の正確な計測が必要な用途の例として、終端階減速装置（ＥＴＳＤ）がある。同機能を適用することで、昇降路の終端階付近での最高速度を下げられるため、ピットやオーバヘッド長の短縮，緩衝器の小型化など種々の利点を得られる。図１６に終端階減速装置適用時の制限速度閾値の例を示す。同図横軸は、昇降路内の基準位置からの高さである。例えばピット床面や、下部ファイナルリミットスイッチなどを基準にしても良い。縦軸はかご速度である。０３０１は定格速度で、かごが正常時に走行する速度である。０３０２は制限速度で、この速度を超過した場合、制動動作を行う必要がある。図示では０３０２は１本に省略しているが、通常、主索を経由して制動を行うブレーキのトリガとなる閾値と、非常止め動作のためのトリガとなる閾値の少なくとも２本が存在する。０３０３および０３０４は、終端階減速装置動作域である。図示では、最上階付近と最下階付近の閾値のカーブが対称であるが、非対称でも良い。終端階減速装置を利用する場合、同機能は、制御装置０１１１若しくはかご側制御装置０２０１の少なくとも一方で実現する。
【００１３】
図２に光学センサユニット０２０３の構成例を示す。光学センサ０２０５は、レンズやプリズム若しくは透明材からなる光学窓０２０６を介し、鏡筒０２０７内の流体０２０９に対向している。加熱手段０２０８は、鏡筒内の流体０２０９を加熱する。冷却手段０２１２は、鏡筒内の流体０２０９を冷却する。
【００１４】
ここで、鏡筒０２０７は、開口部を重力加速度方向０２１１に対向しているものとする。以降、重力加速度方向を下、同方向と逆方向を上と表記する。鏡筒０２０７において、流体の出入りできる開口部は下端部のみとする。流路分離壁０２１６は上昇流と下降流の流路を分離することで、熱対流形成を補助する。本実施例では、加熱手段０２０８及び冷却手段０２１２の設置箇所として、流路分離壁０２１６を利用しているが、流路の分離機能と加熱／冷却の設置機能の兼用は必須ではない。
【００１５】
図６に加熱手段と冷却手段の設置場所の例を示す。同図（ａ）−（ｄ）はそれぞれ、光学センサユニット０２０３の部分を抽出したものである。同図（ａ）は、加熱手段０２０８を鏡筒０２０７の外に設置した例である。前出の図２に示した加熱手段設置場所と比較し、同設置場所はより広い表面積をもつため、鏡筒内の流体に対する入熱量が増し、より効率的な熱対流の発生が可能となる。また、図６（ｂ）に示すとおり、流路分離壁０２１６への加熱手段の設置と併用しても良い。流路形状が異なる場合も同様に、上昇する熱対流に接する壁面に加熱手段を、下降する熱対流に接する壁面に冷却手段を設ける。図６（ｃ），（ｄ）は、流路形状が同心円筒でない場合の例である。いずれの場合でも、光学窓０２０６から光学ターゲット０２１９を望む光軸と、加熱／冷却手段位置との間に隔離距離を設けることで、陽炎の影響を軽減できる。
【００１６】
図７に廃熱手段の例を示す。加熱手段が単独で独立した壁面に設置可能であるのに対し、ペルチェ素子等を利用する冷却手段を独立した壁面に設置する場合、廃熱を処理する手段が必要である。図２や図６（ｂ），（ｄ）のように、冷却手段と隣接する面に加熱手段を配置するケースでは、多くの場合でペルチェ素子の廃熱で加熱手段を兼ねることができる。隣接する面に廃熱を行えない場合、図７（ａ），（ｂ）のごとく、伝熱手段０２５６、および放熱手段０２５７を用いて鏡筒０２０７外へ廃熱を行う。
【００１７】
図８に廃熱の分流の例を示す。冷却／加熱手段にペルチェ素子を用いる場合、同素子における発熱量は、吸熱量の数倍に達する。よって、冷却面と隣接する面からの放熱のみでは、壁面温度が望ましい温度範囲を超えるなど、鏡筒内の熱収支のアンバランスに起因する弊害が生じる可能性がある。そこで、冷却時に発生する熱を、複数の加熱手段設置箇所０２０８−１，０２０８−２や、放熱手段０２５７で分担して消費することで、局所的な温度の上昇を防止できる。
【００１８】
図３にデフレクタ（そらせ板）の使用例を示す。本実施例は、鏡筒が設置されている移動体の速度が速い場合においても、鏡筒内に所望の熱対流を保持する例である。ここでは、所望の熱対流の方向を、鏡筒周辺部で上昇、中心部で下降する方向とする。
【００１９】
図３（ａ）において、周囲流体に対する鏡筒の移動方向が０２５０のとき、鏡筒の開口部におけるほとんどの領域は、周囲気圧に対し高い状態（以降正圧と記す）となる。同図において、鏡筒開口部における正圧域をＨで示す。ここで、同図（ｂ）に示すがごとく、鏡筒の移動方向が０２５１となった場合、鏡筒開口部の外周部では周囲流体の巻き込みにより、気圧が低い状態（以降負圧と記す）となる。この領域を同図ではＬで示す。同図（ｂ）のように、鏡筒開口部の中心部が正圧域、周辺部が負圧域となった場合、その圧力差の程度によっては、所望の熱対流と逆の流れを形成する。上記の正圧／負圧域は、時間的／空間的平均の傾向を模式的に示したものである。実際には、エレベーター実運用域でのレイノルズ数では、乱流若しくはカルマン渦により変動する。しかし、時間的／空間的平均し、正圧／負圧となり続けた場合、逆流の原因となる。
【００２０】
そこで、同図（ｄ）のように、あらたに、デフレクタ０２５２を設ける。デフレクタによって、鏡筒の移動方向が０２５１の場合においても、鏡筒開口部のほぼ全ての領域で、正圧域が形成されるため、所望の熱対流の方向を保持できる。これは、周囲流体の巻き込みによる負圧域が、デフレクタの作用により、鏡筒開口部周辺部の更に外側に形成されるためである。一方、同図（ｃ）のように、デフレクタを有した状態で、鏡筒の移動方向が０２５０となる場合においても、鏡筒開口部のほぼ全ての領域で正圧になるため、所望の熱対流の方向を保持できる。また、前述のごとくここで形成される正圧域はあくまでも時間的／空間的平均の傾向であるため、乱流等により変動を伴う。しかし、鏡筒内の熱対流を形成する流体が慣性をもつため、上記変動による影響は軽減できる。前記流体の慣性と熱対流の流速は、鏡筒長の延長により増加せしめることが可能であるため、本鏡筒の適用環境に応じ適宜調整する。標準的なエレベーターの運行速度範囲で上記機能を実現できるデフレクタ形状の一例を図１３に示す。Ｄの値の一例は、０.０５ｍである。各々の寸法ｄは、厳密に同一値である必要はない。
【００２１】
鏡筒の形状は、必要な熱対流の流量が得られ、光学窓表面の塵埃の付着を防止する効果を得られるものであれば、必ずしも二重の円筒である必要はない。たとえば、図４に示すように、長方形断面の鏡筒とすることで、製作製の向上や平面形状の発熱／吸熱素子の利用が可能となるなどの利点が見込める。
【００２２】
図５は光学窓配置場所選択の例である。塵埃の質量は０ではないため、鏡筒内流体の流れベクトルの方向が変化する点近傍で、慣性により流れに追従できず、特定箇所近傍に付着する。同図（ａ）にて、鏡筒内の熱対流によって、塵埃が堆積する箇所が０２５３のとき、光学窓は、同図Ｐの位置若しくはＱの位置に設けることができる。鏡筒の形状が二重円筒など他の形状の場合でも同様に、塵埃の堆積を避けて光学窓を配置する。塵埃の堆積は、対称性のある鏡筒形状の場合でも、必ずしも対称形状とは限らない。これは、一般に鏡筒周囲に存在する構造物により、鏡筒周囲の流速分布に偏りが存在するためである。よって、光学窓の配置の際には、上記特性を考慮する。塵埃の堆積する箇所０２５３は、実験の他、計算により予測することが可能である。発光素子と受光素子との間で、光軸のずれが許容できる場合、図５（ｂ）に示すように、発光ユニット０２５４用の光学窓と、受光ユニット０２５５用の光学窓を、異なる箇所に配置することができる。特に発光素子として半導体レーザを用いる場合、発光側の光学窓の径は小さくすることができるため、光学窓設置位置の自由度が増す。塵埃の堆積する箇所０２５３を回避した部分が狭い場合において有利である。
【００２３】
図９は、冷却手段として自然冷却を用いる例である。一般に冷却と加熱の双方を行えるペルチェ素子は、加熱のみを行うヒータと比較し高価である。よって、加熱手段としてヒータを用い、冷却を自然冷却とすれば、安価に装置を構成しうる。図９では、鏡筒外の放熱手段０２５８−１に伝熱手段０２５６で連結された、鏡筒内の放熱手段０２５８−２を用い、鏡筒内流体の冷却を行う。加熱手段０２０８はヒータなど、発熱作用のみをもつ素子で構成する。
【００２４】
図１０に流路断面積比による効果を示す。鏡筒０２０７のＡ−Ａ′断面を、同図下に示す。加熱／冷却手段の図示は省略しているが、熱対流の向きは流路分離壁０２１６内側が下降流、外側が上昇流とする。いま、流路分離壁０２１６内側の断面積をＳｄ，流路分離壁と鏡筒で囲まれる部分の断面積をＳａとすると、下降流の速度Ｖｄと上昇流の速度Ｖａとの比Ｖｄ／Ｖａは、およそＳａ／Ｓｄとなる。例えば、下降流部の断面積Ｓｄを上昇流部の断面積Ｓａの半分とすれば、下降流の流速は、上昇流の流速の約倍となる。下降流部の流速が大きい場合、鏡筒開口部から鏡筒中心軸付近を経由し光学窓０２０６前面に粒子が入射する確率を低減できる。
【００２５】
図１１（ａ）に加熱／冷却手段の制御の例を示す。本実施例では、加熱手段０２０８及び冷却手段０２１２を設置している壁面の温度を、あらかじめ設定した値に制御する例である。ここでは、加熱と冷却はそれぞれ独立に制御可能と仮定している。温度センサ０２２０は対象としている加熱／冷却手段の設置している壁面の温度を検出する。壁面と隣接する流体の温度を計測する場合は、計測値が変動しやすいためフィルタ処理など対策を施しても良い。同検出値を、温度設定値保持手段０２２１に保持している設定温度と温度比較手段０２２２を用い比較し、必要に応じ駆動手段０２２３にて、加熱／冷却手段を駆動する。同図における記号に付した−Ｈは加熱手段、−Ｌは冷却手段にそれぞれ対応した制御手段を示している。また、Ｔｒｅｆ.Ｈ，Ｔｒｅｆ.Ｌは、加熱手段，冷却手段にそれぞれ対応した温度設定値である。Ｔｒｅｆ.Ｈは、たとえば周囲温度センサ０２２４を用いて計測した鏡筒周囲流体の温度＋ΔＴｈ，Ｔｒｅｆ.Ｌは、鏡筒周囲流体の温度−ΔＴｌに設定する。いま、高さ約０.５ｍ，外側直径０.０５ｍの円筒状鏡筒においてΔＴｈ＝１０℃，ΔＴｌ＝１０℃としたときには、壁面の摩擦を無視すれは、０.５ｍ／ｓ程度の下降流を発生することが可能である。鏡筒内の下降流速は、必ずしも鏡筒の移動速度より高い必要はない。これは移動に伴う鏡筒周囲流体の圧力が、鏡筒開口部の下降流部と上昇流部に同様に作用するためである。また、ΔＴｈ，ΔＴｌの絶対値は必ずしも等しい必要はない。加えて、光学センサユニット０２０３の設置対象である移動体の移動速度に応じ、ΔＴｈ，ΔＴｌを変化させても良い。この場合、熱時定数を考慮し、移動体の移動開始が予測される時点より前の段階でΔＴｈ，ΔＴｌの増減を開始し、適切な温度差を形成するようにしても良い。エレベーターの場合、かごにおけるドア閉ボタン押し下げや、ドア閉のタイムアウトなど、かごの移動開始時刻を容易に類推できる手段を多数有しているため、必要に応じ制御装置０１１１を経由させるなどを行い、移動開始時間前に、より大きな温度差による、より大きな流速の熱対流を形成させる。逆に移動体がしばらく運行しない場合は、より小さな流速の熱対流とすることで、エネルギ消費を削減しても良い。
【００２６】
周囲温度センサ０２２４−Ｈ，０２２４−Ｌは、１つのセンサを共用しても良い。温度センサの設置位置は、加熱手段０２０８や冷却手段０２１２からの熱の影響が及ばない箇所に設置する。更に、周囲温度センサ０２２４は、乗りかご０１０５の移動範囲となる昇降路内に複数設置してもよい。複数の周囲温度センサの計測値において、最高温度をＴ−ＥｎｖＭａｘ，同最低温度をＴ−ＥｎｖＭｉｎとしたとき、Ｔｒｅｆ.Ｈの算出にＴ−ＥｎｖＭａｘを用いるか、若しくはＴｒｅｆ.Ｌの算出にＴ−ＥｎｖＭｉｎを用いるかの少なくとも一方を適用することで、鏡筒内の熱対流の安定生成に寄与する。
【００２７】
前出の図１１（ａ）では、加熱手段０２０８と冷却手段０２１２の双方の温度制御を行ったが、少なくとも一方のみの制御でも良い。例えば加熱／冷却手段として、ペルチェ素子を利用する場合には、加熱手段０２０８のみを温度制御すると好適である。図１１（ｂ）は、加熱手段０２０８のみを制御する例である。ペルチェ素子の発熱量は、吸熱量の数倍に達するため、冷却手段側のみの温度制御を行うと、加熱手段側の温度が、鏡筒など光センサユニット０２０３関連機器の適正温度を超える可能性がある。そこで、加熱手段０２０８側の温度制御を行い、冷却側は、加熱手段に設定された発熱量に対応した吸熱量をそのまま利用する。この場合でも、冷却手段は鏡筒内の流体の温度を相対的に低下させるため下降流を発生し、加熱手段側の上昇流とあいまって、鏡筒内の熱対流の形成が可能である。
【００２８】
図１２は、流速に基づいた加熱／冷却手段制御の例である。本構成では、流速センサ０２６０による流速値と、流速設定値保持手段０２６１に設定した流速とを、流速比較手段０２６２を用いて比較することで、鏡筒内の熱対流の流速を適切な範囲に制御する。駆動手段０２２３は、加熱手段０２０８もしくは冷却手段０２１２の少なくとも一方を駆動する。本方式は、光学センサユニットの汚れ防止機能の根源である熱対流の流速を制御量とすることで、より直接的な効果を期待できる。一方、鏡筒開口部付近の乱流の影響により、流速センサ検出値の変動が大きくなり、時定数の大きなフィルタが必要になる可能性を有する。流速センサ０２６０の設置位置は、上昇流側とすると、光学窓０２０６前面の光路の障害となりにくい利点がある。流速センサ０２６０の設置位置を下降流側にすると、図１０で示した、断面積比による熱対流の増速を適用している際に、検出感度の面で有利となる。加えて、流速センサ設置位置が流路上で光学窓の後になるため、流速センサにより生じる乱流で、光学窓近傍の流線を乱す可能性を低減できる。
【００２９】
光学窓から望む鏡筒開口部は必ずしも重力加速度方向を指向せずとも良い。図１４は、鏡筒開口部方向と重力方向との関係を示す図である。塵埃や油脂類のミストの光学窓への付着を、熱対流のみで防止できる場合、同図（ａ），（ｂ）のごとく、鏡筒開口部を重力加速度方向と逆方向（上方）に指向させることが可能である。鏡筒開口部の指向方向を下方に限定しないことで、光学センサユニット０２０３の構成する際の自由度が増す。例えばエレベーターに利用する場合、光学ターゲット０２１９を昇降路の上方に設置する構成をとることが可能となる。本構成は、光学ターゲット０２１９の汚れ対策が、光学センサユニット０２０３の汚れ対策と比較し、より困難な場合に有利である。図１４（ｃ），（ｄ）のごとく、鏡筒開口部を重力加速度方向に対し、斜め方向や直交方向としても、熱対流を生成することができる。鏡筒開口部が斜め方向の場合、斜行エレベーターやエスカレータ等、移動方向が重力加速度に対し斜め方向となる移動体に利用できるほか、上下方向に移動する一般的なエレベーターにおいても、かごから見た斜め方向の昇降路壁に検出対象がある場合に利用できる。開口部が重力加速度方向に対し直交方向となる場合でも同様で、例えば斜行でない一般のエレベーターから、昇降路の側壁に設置したバーコードや光学マーカーなどの検出対象を検出する際に利用できる。また図１４の実施例に限らず、光学センサユニット０２０３をかご以外に昇降路壁など移動を伴わない箇所に設置する場合においても、本実施例の汚れ防止手法は適用可能である。
【００３０】
図１５に粒子捕捉器の適用例を示す。同図０２６３に示す粒子捕捉器を、流路上の光学窓到達前に設けることで、光学窓近傍へ到達する粒子の数を減ずる。粒子捕捉器は、ラビリンス構造のほか、圧損が適切であれば、フィルタ等でもよい。粒子捕捉器前後の圧力Ｐ１，Ｐ２の差を利用し流速検出手段の一部の機能を兼ねても良い。
【図面の簡単な説明】
【００３１】
【図１】本発明の一実施形態によるエレベーター構成図。
【図２】本発明の一実施形態による光学センサユニットの構成図。
【図３】本発明の一実施形態によるデフレクタを使用した例を示す図。
【図４】本発明の一実施形態による流路形状を示す図。
【図５】本発明の一実施形態による光学窓配置場所選択の例を示す図。
【図６】本発明の一実施形態による加熱／冷却手段設置場所の例を示す図。
【図７】本発明の一実施形態による廃熱手段の例を示す図。
【図８】本発明の一実施形態による廃熱の分流の例を示す図。
【図９】本発明の一実施形態による自然冷却手段を用いる例を示す図。
【図１０】本発明の一実施形態による流路断面積比による効果を示す図。
【図１１】本発明の一実施形態による加熱／冷却手段制御の例を示す図。
【図１２】本発明の一実施形態による加熱／冷却手段制御の例を示す図。
【図１３】デフレクタ形状の例を示す図。
【図１４】鏡筒開口部方向と重力方向との関係を示す図。
【図１５】本発明の一実施形態による粒子捕捉器の適用例を示す図。
【図１６】本発明の一実施形態による終端階減速装置利用時の制限速度パタンを示す図。
【符号の説明】
【００３２】
０１０２  ガイドレール
０１０５  かご（乗りかご）
０１０６  メインロープ
０１０７  つり合い錘
０１０８  巻き上げ機
０１０９  ブレーキ
０１１１  制御装置
０１１４  非常止め装置
０２０１  かご側制御装置
０２０３  光学センサユニット
０２０４  その他センサ
０２０５  光学センサ
０２０６  光学窓
０２０７  鏡筒
０２０８  加熱手段
０２０９  鏡筒内流体
０２１１  重力加速度方向
０２１２  冷却手段
０２１３  上昇流形成部
０２１４  下降流形成部
０２１６  流路分離壁
０２１９  光学ターゲット
０２２０  温度センサ
０２２１  温度設定値保持手段
０２２２  温度比較手段
０２２３  駆動手段
０２２４  周囲温度センサ
０２５０，０２５１  鏡筒進行方向
０２５２  デフレクタ（そらせ板）
０２５３  塵埃堆積箇所
０２５４  発光ユニット
０２５５  受光ユニット
０２５６  伝熱手段
０２５７  放熱手段
０２５８  熱流束
０２６０  流速センサ
０２６１  流速設定値保持手段
０２６２  流速比較手段
０２６３  粒子捕捉器
０３０１  定格速度
０３０２  制限速度
０３０３，０３０４  終端階減速装置動作域
【図１】
2010078328.tif 000003
【図２】
2010078328.tif 000004
【図３】
2010078328.tif 000005
【図４】
2010078328.tif 000006
【図５】
2010078328.tif 000007
【図６】
2010078328.tif 000008
【図７】
2010078328.tif 000009
【図８】
2010078328.tif 000010
【図９】
2010078328.tif 000011
【図１０】
2010078328.tif 000012
【図１１】
2010078328.tif 000013
【図１２】
2010078328.tif 000014
【図１３】
2010078328.tif 000015
【図１４】
2010078328.tif 000016
【図１５】
2010078328.tif 000017
【図１６】
2010078328.tif 000018